(57)【特許請求の範囲】
【請求項１】
キャップ本体の先端部に頭冠を取り付けてなる筆記具のキャップにおいて、前記頭冠に、挿入孔を有する突起部を設け、該突起部をキャップ本体の先端開口部に、突起部の外周に設けた突部が、前記キャップ本体の先端開口部の凸部を乗り越え嵌合するように嵌挿して、キャップ本体に頭冠を取り付けるとともに、外周に第一係子部を有する嵌合駒を、前記第一係子部が、前記頭冠の突起部の挿入孔内周面に設けた第二係子部に、キャップ内孔側から圧入しながら乗り越す、落とし込み圧入嵌合したことを特徴とする筆記具のキャップ。
【請求項２】
前記頭冠の突起部およびキャップ本体の先端開口部に回り止めの為の平地部を形成したことを特徴とする請求項１に記載の筆記具のキャップ。
【請求項３】
前記頭冠の突起部に切り欠き部を形成したことを特徴とする請求項１または２に記載の筆記具のキャップ。
【請求項４】
前記キャップ本体と頭冠の間に、クリップの基部を挟着したことを特徴とする請求項１ないし３の何れか１項に記載の筆記具のキャップ。
【請求項５】
前記頭冠に、クリップを一体に形成または装着したことを特徴とする請求項１ないし３の何れか１項に記載の筆記具のキャップ。
【発明の詳細な説明】
【０００１】
【発明の属する技術分野】
本発明は、キャップ本体の先端開口部に頭冠を取り付けてなる筆記具のキャップに関する。
【０００２】
【従来の技術】
従来、頭冠をキャップ本体に装着する場合には、頭冠とキャップ本体あるいは、頭冠と嵌合駒とを螺合したり、頭冠をキャップ本体に圧入嵌合したりしていた。
【０００３】
【発明が解決しようとする課題】
しかし、螺合して頭冠を取り付ける方法では組立性が悪くコスト高になるため、低価格の筆記具には不向きであった。また、圧入嵌合して頭冠を取り付ける方法では、経時による寸法変化で嵌合力が低下し、衝撃や僅かな力で容易に頭冠が抜け落ちしてしまうという問題があった。
【０００４】
本発明は上記問題を鑑み、組立性が良く、経時的にも頭冠が抜け落ちしにくい筆記具のキャップを提供するものである。
【０００５】
【課題を解決するための手段】
前記目的を達成するために本発明では、キャップ本体の先端部に頭冠を取り付けてなる筆記具のキャップにおいて、前記頭冠に、挿入孔を有する突起部を設け、該突起部をキャップ本体の先端開口部に、突起部の外周に設けた突部が、前記キャップ本体の先端開口部の凸部を乗り越え嵌合するように嵌挿して、キャップ本体に頭冠を取り付けるとともに、外周に第一係子部を有する嵌合駒を、前記第一係子部が、前記頭冠の突起部の挿入孔内周面に設けた第二係子部に、キャップ内孔側から圧入しながら乗り越す、落とし込み圧入嵌合してなる。
【０００６】
また、前記頭冠の突出部およびキャップ本体の先端開口部に回り止めの為の平地部を形成する。
【０００７】
さらに、前記頭冠の突起部に切り欠き部を形成する。
【０００８】
さらに、前記キャップ本体と頭冠の間に、クリップの基部を挟着する。
【０００９】
さらに、前記頭冠に、クリップを一体に形成または装着する。
【００１０】
【発明の実施の形態】
頭冠に挿入孔を有する突起部を設け、該突起部を、キャップ先端部に設けた開口部に、開口部内周面に形成した凸部と、前記突起部外周に設けた突部が、乗り越え嵌合するように嵌挿しかつ、キャップ内孔側から前記突起部の挿入孔に嵌合駒を落とし込み圧入嵌合することにより、頭冠をキャップ本体に取り付けて本発明の筆記具のキャップを得る。
【００１１】
本発明の嵌合駒とは、キャップ内孔側より頭冠の挿入孔に落とし込み圧入嵌合する部材で、中子等のキャップ本体とは別の部材のことである。また、落とし込み圧入嵌合とは、一方の部材を他方の挿入孔に、一方の外周面に設けた係子部が、他方の挿入孔内周面設けた係子部を圧入しながら乗り越え嵌合する嵌合方法のことである。
【００１２】
本発明は、キャップ本体の先端開口部の凸部と、前記頭冠の突起部外周に設けた突部が乗り越え嵌合して、頭冠の抜け落ちを防止しているだけでなく、キャップ内孔側より頭冠部に形成した突起部の挿入孔に嵌合駒を落とし込み圧入嵌合することによって、前記挿入孔を押し広げているので、頭冠とキャップ本体との嵌合力を高くし、さらに前記挿入孔内に嵌合駒があることによって、経時的な寸法変化による突起部の径の収縮を防止することもできるので、頭冠を抜け落ちしにくくすることができる。
【００１３】
また、頭冠が円周方向への回転してしまうと、頭冠とキャップ本体の嵌合部が摩耗し、その結果、嵌合力を低下させてしまう。そこで、キャップ先端部に形成した開口部および頭冠部の突起部に回転防止のための平地部を形成することにより円周方向への回転を防止することができるので好ましい。
【００１４】
さらに、クリップを頭冠部と一体に形成または装着した筆記具のキャップ、あるいは頭冠部とキャップ本体によりクリップを挟着してなる筆記具のキャップにおいては、クリップを衣服等に挟んだ場合等、クリップを図１の矢印Ｆ方向に持ち上げることにより、頭冠が抜け落ちする方向に力が働くことが頻繁に生じるので、特に有効である。
【００１５】
また、本発明の頭冠部、嵌合駒等の材質は金属材料、樹脂材料等、特に限定されるものではないが、弾性変形しやすい樹脂材料を用いるほうが、前記した落とし込み圧入嵌合には好適である。
【００１６】
【実施例】
本発明の実施例を、図面を用いて説明する。尚、図１および図４には便宜上、ボールペンを図示しているが、本発明はボールペンに制限されるものではない。図１から図４に示す、実施例１の筆記具のキャップは、キャップ本体１のキャップ先端部１ａ側に開口部２を形成してある。また、クリップ１３を一体に形成した頭冠４には突起部６を設けてあり、該突起部６には、外周に突部７および切り欠き部８を形成しておく。前記した開口部２に突起部６を、突部７が前記開口部２の凸部３を乗り越えるように嵌挿する。このとき、突起部６に切り欠き部８を形成しておくことによって、径方向に弾性変形し易いので嵌挿作業を容易にすることができる。
【００１７】
その後、キャップ本体１の内孔側１ｂから中子である嵌合駒９の、該嵌合駒９の一端に設けた先端部１０を、前記突起部６の挿入孔５に、先端部１０の外周に設けた第一係子部１１が、挿入孔５の内周面に設けた第二係子部１２を圧入しながら乗り越える、前記した落とし込み圧入嵌合することにより、頭冠４をキャップ本体１に取り付けてある。前記作製したキャップは筆記具１４に装着する。前記開口部２および頭冠４には回転防止のため平地部Ｊを形成してある。
【００１８】
図５、６に示す、実施例２の筆記具のキャップは、実施例１と同様にキャップ本体２１のキャップ先端部２１ａ側に開口部２５を形成してある。開口部２５と頭冠２４の間に、クリップ３３の基部を折り曲げてなるリング状の折曲部３４を挟み込むように、頭冠２４に形成した、挿入孔２５を有する突起部２６を、前記折曲部３４を通過し、前記開口部２２の凸部２３と、前記突起部２６外周に設けた突部２７が、乗り越えるように嵌挿する。
【００１９】
その後、キャップ内孔側２１ｂから嵌合駒２９を、嵌合駒２９の外周に設けた第一係子部３１が、挿入孔２５の内周面に設けた第二係子部３２を圧入しながら乗り越す、落とし込み圧入嵌合することにより、頭冠２４およびクリップ３３をキャップ本体２１に取り付けてある。前記作製したキャップは筆記具３４に装着する。
【００２０】
前記キャップ本体２１の開口部２５、クリップ３３の折曲部３４および頭冠２４の突起部２６には回転防止のため平地部Ｋを形成してある。
【００２１】
【発明の効果】
本発明は、前述した構成なので、組立性が良く、経時的にも頭冠が簡単に抜け落ちすることのない筆記具のキャップを提供することができる。
【図面の簡単な説明】
【図１】本発明の第１の実施例のキャップを筆記具に装着した状態の、一部省略した縦断面図である。
【図２】図１における落とし込み圧入嵌合部の拡大縦断面図である。
【図３】図１におけるＡ−Ａ拡大断面図である。
【図４】図１におけるキャップの組立行程を示す縦断面図である。
【図５】本発明の第２の実施例のキャップを筆記具に装着した状態の、一部省略した縦断面図である。
【図６】図５におけるＢ−Ｂ拡大断面図である。
【符号の説明】
１  キャップ本体
１ａ  キャップ先端部
１ｂ  キャップ内孔
２  先端開口部
３  凸部
４  頭冠
５  挿入孔
６  突起部
７  突部
９  嵌合部材
１１  第一係止部
１２  第二係止部
【図１】
0004175589.tif 000002
【図２】
0004175589.tif 000003
【図３】
0004175589.tif 000004
【図４】
0004175589.tif 000005
【図５】
0004175589.tif 000006
【図６】
0004175589.tif 000007